(57)【要約】【課題】ディスクコピー可能な記録媒体に対して、再生制限をすることができるようにする。【解決手段】ＰＣ５１−１は、コンテンツをＰＣ５１−１の記録環境を識別するプロダクトＩＤとともに光ディスク５２−１に記録する。再生装置５３−１は、ＰＣ５１−１により記録された光ディスク５２−１を装着すると、プロダクトＩＤを読み出し、まだ初期化プロダクトＩＤが登録されていない場合、ＰＣ５１−１のプロダクトＩＤを初期化プロダクトＩＤとして、プロダクトＩＤ管理テーブルに格納する。すでに初期化プロダクトＩＤが登録されている場合、再生装置５３−１は、初期化プロダクトＩＤと、ＰＣ５１−１のプロダクトＩＤを比較し、一致しなければ、光ディスク５２−１の再生を禁止、または制限する。本発明は、著作権保護コンテンツを記録可能な光ディスクを再生する再生装置に適用できる。【選択図】      図３
2004272341.tif 000002
【特許請求の範囲】
【請求項１】
記録媒体に記録された情報を再生する再生方法において、
前記記録媒体から、前記記録媒体に前記情報を記録したときの記録環境を識別する記録ＩＤを取得する取得ステップと、
前記記録ＩＤが初期化記録ＩＤとして既に登録されているか否かを判断する第１の判断ステップと、
前記第１の判断ステップの処理により前記初期化記録ＩＤがまだ登録されていないと判断された場合、前記取得ステップの処理により取得された前記記録ＩＤを、前記初期化記録ＩＤとして登録する登録ステップと、
前記第１の判断ステップの処理により前記初期化記録ＩＤが既に登録されていると判断された場合、前記取得ステップの処理により取得された前記記録ＩＤが、前記初期化記録ＩＤと一致するか否かを判断する第２の判断ステップと、
前記第２の判断ステップの処理により前記記録ＩＤが、前記初期化記録ＩＤと一致しないと判断された場合、前記記録媒体に記録されている前記情報の再生を禁止する制御を行う再生制御ステップと
を含むことを特徴とする再生方法。
【請求項２】
前記記録ＩＤは、前記記録媒体に前記情報を記録した記録装置を識別するＩＤである
ことを特徴とする請求項１に記載の再生方法。
【請求項３】
前記初期化記録ＩＤは、一旦登録された後、消去および書き換えが不可能である
ことを特徴とする請求項１に記載の再生方法。
【請求項４】
前記第２の判断ステップの処理により前記記録ＩＤが、前記初期化記録ＩＤと一致すると判断された場合、前記記録媒体より前記情報を暗号化した暗号鍵を読み出す読み出しステップと、
前記読み出しステップの処理により読み出された前記暗号鍵を用いて、前記記録媒体に記録された前記情報を復号する復号ステップと
をさらに含み、
前記再生制御ステップの処理は、前記復号ステップの処理により復号された前記情報を再生する制御も行う
ことを特徴とする請求項１に記載の再生方法。
【請求項５】
記録媒体に記録された情報を再生する再生装置において、
前記記録媒体から、前記記録媒体に前記情報を記録したときの記録環境を識別する記録ＩＤを取得する取得手段と、
前記記録ＩＤが初期化記録ＩＤとして既に登録されているか否かを判断する第１の判断手段と、
前記第１の判断手段により前記初期化記録ＩＤがまだ登録されていないと判断された場合、前記取得手段により取得された前記記録ＩＤを、前記初期化記録ＩＤとして登録する登録手段と、
前記第１の判断手段により前記初期化記録ＩＤが既に登録されていると判断された場合、前記取得手段により取得された前記記録ＩＤが、前記初期化記録ＩＤと一致するか否かを判断する第２の判断手段と、
前記第２の判断手段により前記記録ＩＤが、前記初期化記録ＩＤと一致しないと判断された場合、前記記録媒体に記録されている前記情報の再生を禁止する制御を行う再生制御手段と
を備えることを特徴とする再生装置。
【請求項６】
記録媒体に記録された情報を再生する処理をコンピュータに実行させるプログラムであって、
前記記録媒体から、前記記録媒体に前記情報を記録したときの記録環境を識別する記録ＩＤを取得する取得ステップと、
前記記録ＩＤが初期化記録ＩＤとして既に登録されているか否かを判断する第１の判断ステップと、
前記第１の判断ステップの処理により前記初期化記録ＩＤがまだ登録されていないと判断された場合、前記取得ステップの処理により取得された前記記録ＩＤを、前記初期化記録ＩＤとして登録する登録ステップと、
前記第１の判断ステップの処理により前記初期化記録ＩＤが既に登録されていると判断された場合、前記取得ステップの処理により取得された前記記録ＩＤが、前記初期化記録ＩＤと一致するか否かを判断する第２の判断ステップと、
前記第２の判断ステップの処理により前記記録ＩＤが、前記初期化記録ＩＤと一致しないと判断された場合、前記記録媒体に記録されている前記情報の再生を禁止する制御を行う再生制御ステップと
を含むことを特徴とするコンピュータが読み取り可能なプログラムが記録されているプログラム記録媒体。
【請求項７】
記録媒体に記録された情報を再生する処理をコンピュータに実行させるプログラムであって、
前記記録媒体から、前記記録媒体に前記情報を記録したときの記録環境を識別する記録ＩＤを取得する取得ステップと、
前記記録ＩＤが初期化記録ＩＤとして既に登録されているか否かを判断する第１の判断ステップと、
前記第１の判断ステップの処理により前記初期化記録ＩＤがまだ登録されていないと判断された場合、前記取得ステップの処理により取得された前記記録ＩＤを、前記初期化記録ＩＤとして登録する登録ステップと、
前記第１の判断ステップの処理により前記初期化記録ＩＤが既に登録されていると判断された場合、前記取得ステップの処理により取得された前記記録ＩＤが、前記初期化記録ＩＤと一致するか否かを判断する第２の判断ステップと、
前記第２の判断ステップの処理により前記記録ＩＤが、前記初期化記録ＩＤと一致しないと判断された場合、前記記録媒体に記録されている前記情報の再生を禁止する制御を行う再生制御ステップと
を含むことを特徴とするプログラム。
【請求項８】
記録媒体に情報を記録する記録方法において、
前記記録媒体に前記情報を記録するときの記録環境を識別する記録ＩＤを生成する生成ステップと、
前記情報を暗号化鍵で暗号化する暗号化ステップと、
前記暗号化ステップの処理により暗号化された前記情報を前記記録媒体に記録し、前記暗号化鍵とともに、前記生成ステップの処理により生成された前記記録ＩＤを記録する記録ステップと
を含むことを特徴とする記録方法。
【請求項９】
記録媒体に情報を記録する記録装置において、
前記記録媒体に前記情報を記録するときの記録環境を識別する記録ＩＤを生成する生成手段と、
前記情報を暗号化鍵で暗号化する暗号化手段と、
前記暗号化手段により暗号化された前記情報を前記記録媒体に記録し、前記暗号化鍵とともに、前記生成手段により生成された前記記録ＩＤを記録する記録手段と
を備えることを特徴とする記録装置。
【請求項１０】
記録媒体に情報を記録する処理をコンピュータに実行させるプログラムであって、
前記記録媒体に前記情報を記録するときの記録環境を識別する記録ＩＤを生成する生成ステップと、
前記情報を暗号化鍵で暗号化する暗号化ステップと、
前記暗号化ステップの処理により暗号化された前記情報を前記記録媒体に記録し、前記暗号化鍵とともに、前記生成ステップの処理により生成された前記記録ＩＤを記録する記録ステップと
を含むことを特徴とするコンピュータが読み取り可能なプログラムが記録されているプログラム記録媒体。
【請求項１１】
記録媒体に情報を記録する処理をコンピュータに実行させるプログラムであって、
前記記録媒体に前記情報を記録するときの記録環境を識別する記録ＩＤを生成する生成ステップと、
前記情報を暗号化鍵で暗号化する暗号化ステップと、
前記暗号化ステップの処理により暗号化された前記情報を前記記録媒体に記録し、前記暗号化鍵とともに、前記生成ステップの処理により生成された前記記録ＩＤを記録する記録ステップと
を含むことを特徴とするプログラム。
【請求項１２】
情報が記録される記録媒体において、
前記情報とともに、前記記録媒体に前記情報を記録したときの記録環境を識別する記録ＩＤが記録されている
ことを特徴とする記録媒体。
【発明の詳細な説明】
【０００１】
【発明の属する技術分野】
本発明は、再生方法および装置、記録方法および装置、プログラム記録媒体およびプログラム、並びに記録媒体に関し、特に、ディスクコピー可能な記録媒体に対して、再生制限をすることがができるようにした再生方法および装置、記録方法および装置、プログラム記録媒体およびプログラム、並びに記録媒体に関する。
【０００２】
【従来の技術】
最近、暗号化などの手段により著作権保護されたコンテンツとともに、認証ＩＤを記録したものとして、レーベルゲートＣＤなどの記録済み記録媒体が存在する。
【０００３】
図１を参照して、レーベルゲートＣＤ１によるコンテンツの著作権保護方法について説明する。図１に示されるように、レーベルゲートＣＤ１は、ファーストセッションエリア１１とセカンドセッションエリア１２により構成される。ファーストセッションエリア１１は、コピーコントロールされたＣＥ（Ｃｏｎｓｕｍｅｒ  Ｅｌｅｃｔｒｏｎｉｃｓ）機器再生用データが格納される。セカンドセッションエリア１２は、ＰＣ（Ｐｅｒｓｏｎａｌ  Ｃｏｍｐｕｔｅｒ）用再生データとして暗号化されたコンテンツ２１、および、そのコンテンツ２１をＰＣ２のハードディスク１３に複製し、再生するための認証に用いられる認証ＩＤであるＰＩＤ（Ｐｏｓｔｓｃｒｉｂｅｄ  Ｉｄｅｎｔｉｆｉｃａｔｉｏｎ）が格納される。図１の例においては、コンテンツ２１は、圧縮音声データなどにより構成される。
【０００４】
さらに、セカンドセッションエリア１２には、ＰＩＤを読み出すための専用のディスクアプリケーション１４も格納されている。レーベルゲートＣＤ１がＰＣ２に装着されると、ＰＣ２は、ディスクアプリケーション１４をＰＣ２上で起動する。ディスクアプリケーション１４は、レーベルゲートＣＤ１からＰＩＤを読み出し、読み出したＰＩＤを、インターネット３を介して、非特許文献１に示されるような音楽配信サーバ４に送信する。音楽配信サーバ４は、ＰＩＤを用いて、レーベルゲートＣＤ１のコンテンツ２１へのアクセス回数を管理しており、ＰＣ２より受信したＰＩＤが、レーベルゲートＣＤ１のコンテンツ２１をハードディスク１３に複製されるために使用されるのが初めてであるか、または、２回目以降であるかの検証および認証を行う。
【０００５】
また、音楽配信サーバ４は、ライセンスサーバ１６を有している。ライセンスサーバ１６は、音楽配信サーバ４がＰＣ２より受信したＰＩＤを認証した場合、インターネット３を介して、ＰＣ２に、レーベルゲートＣＤ１の暗号化されたコンテンツ２１を復号するためのライセンス鍵２２を発行する。ＰＣ２は、インターネット３を介して、ライセンスサーバ１６よりライセンス鍵２２を取得し、ハードディスク１３に記憶する。
【０００６】
これにより、レーベルゲートＣＤ１のコンテンツ２１は、ハードディスク１３に複製され、記憶されたライセンス鍵２２により復号されるので、ＰＣ２は、再生アプリケーション１５を用いて、レーベルゲートＣＤ１のコンテンツ２１を再生することができる。
【０００７】
このようにして、レーベルゲートＣＤ１においては、ＰＣ２を介したオンライン認証により、ＰＩＤによるコンテンツ２１の再生管理が実行され、コンテンツ２１が著作権保護される。
【０００８】
また、ＰＣ２においては、ハードディスク１３などの１次記録媒体から、ＣＤ−Ｒ（Ｃｏｍｐａｃｔ  Ｄｉｓｋ  Ｒｅｃｏｒｄａｂｌｅ）などのディスクコピー可能な２次記録媒体に対しても、非特許文献２に示されるＣＣＩ（Ｃｏｐｙ  Ｃｏｎｔｒｏｌ  Ｉｎｆｏｒｍａｔｉｏｎ）などを用いて、暗号化などの手段により著作権保護されたコンテンツを記録することができる。
【０００９】
図２を参照して、ディスクコピー可能な２次記録媒体に対するコンテンツの著作権保護方法について説明する。図２の例の場合、ＰＣ２は、ハードディスク１３に記録されているコンテンツ４１をＣＤ−Ｒ３１に記録するためのディスク記録アプリケーション３３を有する。なお、コンテンツ４１は、図１のレーベルゲートＣＤ１または音楽配信サーバ４などより取得された暗号化コンテンツ４１−１が、そのライセンス鍵４１−２により復号され、平文の状態でハードディスク１３に記録されている。
【００１０】
ディスク記録アプリケーション３３は、コンテンツ４１、機器やアプリケーションに固有の情報（例えば、ＰＣ２にインストールされたアプリケーション毎のユニークＩＤ、ハードディスク１３に格納された時間や乱数などで構成される情報）を、ハードディスク１３などの１次記録媒体を有する機器毎にユニークな組み合わせになるプロダクトＩＤ４３として生成する。そして、ＣＤ−Ｒ３１への書き込みの際には、ディスク記録アプリケーション３３は、コンテンツ４１とともに生成されたプロダクトＩＤ４３をＣＤ−Ｒ３１に格納する。
【００１１】
このプロダクトＩＤ４３により、２次記録媒体のＣＤ−Ｒ３１上のコンテンツ４１を記録したＰＣ２が特定および認証されるので、認証されたＰＣ４１やそのアプリケーションでは再生可能であっても、他のＰＣや他のアプリケーションでの再生は禁止される。
【００１２】
一方、一般的に広く流布しているＣＤ−Ｒなどの汎用的な２次記録媒体やそのディスクドライブにおいては、コンテンツ４１だけでなく、生成されたプロダクトＩＤ４３を含めて複製が可能であるため、コピー記録媒体が容易に作成されてしまう場合がある。このような場合にも、上述したプロダクトＩＤ４３により、２次記録媒体のＣＤ−Ｒ３１上のコンテンツ４１を記録したＰＣ２が特定されるので、コピー記録媒体は、ＰＣ４１やそのアプリケーションでは再生可能であっても、他のＰＣや他のアプリケーションでの再生が禁止される。したがって、再生権利の拡散を防ぐことができる。
【００１３】
【非特許文献１】
株式会社レーベルゲート、“Ｌａｂｅｌ  Ｇａｔｅ”、［ｏｎｌｉｎｅ］、［平成１５年２月１９日検索］、インターネット，ｈｔｔｐ：／／ｗｗｗ．ｌａｂｅｌｇａｔｅ．ｃｏｍ／
【非特許文献２】
４Ｃ  Ｅｎｔｉｔｙ，  ＬＬＣ、“４Ｃ  Ｅｎｔｉｔｙ，”、［ｏｎｌｉｎｅ］、［平成１５年２月１９日検索］、インターネット，ｈｔｔｐ：／／ｗｗｗ．４ｃｅｎｔｉｔｙ．ｃｏｍ／
【００１４】
【発明が解決しようとする課題】
しかしながら、例えば、２次記録媒体であるＣＤ−Ｒ３１を再生する再生装置（例えば、オーディオ機器）３２においては、ＰＣ２やディスク記録アプリケーション３３により書き込まれたＣＤ−Ｒ３１上のコンテンツ４１と、他のＰＣや他のアプリケーションで複製されたコピー記録媒体上のコンテンツの区別ができない。したがって、再生装置３２に対しては、再生権利の拡散を防ぐことができない課題があった。
【００１５】
また、一般的に広く流布しているＣＤ−Ｒなどの汎用的な２次記録媒体やそのディスクドライブ以外を使用することにより著作権保護を推進する方法もあるが、この場合、再生装置３２における再生権利の拡散が抑制される可能性があるものの、汎用性が著しく損なわれる課題があった。
【００１６】
本発明はこのような状況に鑑みてなされたものであり、ディスクコピー可能な記録媒体に対して、再生制限をすることができるようにするものである。
【００１７】
【課題を解決するための手段】
本発明の再生方法は、記録媒体から、記録媒体に情報を記録したときの記録環境を識別する記録ＩＤを取得する取得ステップと、記録ＩＤが初期化記録ＩＤとして既に登録されているか否かを判断する第１の判断ステップと、第１の判断ステップの処理により初期化記録ＩＤがまだ登録されていないと判断された場合、取得ステップの処理により取得された記録ＩＤを、初期化記録ＩＤとして登録する登録ステップと、第１の判断ステップの処理により初期化記録ＩＤが既に登録されていると判断された場合、取得ステップの処理により取得された記録ＩＤが、初期化記録ＩＤと一致するか否かを判断する第２の判断ステップと、第２の判断ステップの処理により記録ＩＤが、初期化記録ＩＤと一致しないと判断された場合、記録媒体に記録されている情報の再生を禁止する制御を行う再生制御ステップとを含むことを特徴とする。
【００１８】
記録ＩＤは、記録媒体に情報を記録した記録装置を識別するＩＤであるようにすることができる。
【００１９】
初期化記録ＩＤは、一旦登録された後、消去および書き換えが不可能であるようにすることができる。
【００２０】
第２の判断ステップの処理により記録ＩＤが、初期化記録ＩＤと一致すると判断された場合、記録媒体より情報を暗号化した暗号鍵を読み出す読み出しステップと、読み出しステップの処理により読み出された暗号鍵を用いて、記録媒体に記録された情報を復号する復号ステップとをさらに含み、再生制御ステップの処理は、復号ステップの処理により復号された情報を再生する制御も行うようにすることができる。
【００２１】
本発明の再生装置は、記録媒体から、記録媒体に情報を記録したときの記録環境を識別する記録ＩＤを取得する取得手段と、記録ＩＤが初期化記録ＩＤとして既に登録されているか否かを判断する第１の判断手段と、第１の判断手段により初期化記録ＩＤがまだ登録されていないと判断された場合、取得手段により取得された記録ＩＤを、初期化記録ＩＤとして登録する登録手段と、第１の判断手段により初期化記録ＩＤが既に登録されていると判断された場合、取得手段により取得された記録ＩＤが、初期化記録ＩＤと一致するか否かを判断する第２の判断手段と、第２の判断手段により記録ＩＤが、初期化記録ＩＤと一致しないと判断された場合、記録媒体に記録されている情報の再生を禁止する制御を行う再生制御手段とを備えることを特徴とする。
【００２２】
本発明の第１のプログラム記録媒体は、記録媒体から、記録媒体に情報を記録したときの記録環境を識別する記録ＩＤを取得する取得ステップと、記録ＩＤが初期化記録ＩＤとして既に登録されているか否かを判断する第１の判断ステップと、第１の判断ステップの処理により初期化記録ＩＤがまだ登録されていないと判断された場合、取得ステップの処理により取得された記録ＩＤを、初期化記録ＩＤとして登録する登録ステップと、第１の判断ステップの処理により初期化記録ＩＤが既に登録されていると判断された場合、取得ステップの処理により取得された記録ＩＤが、初期化記録ＩＤと一致するか否かを判断する第２の判断ステップと、第２の判断ステップの処理により記録ＩＤが、初期化記録ＩＤと一致しないと判断された場合、記録媒体に記録されている情報の再生を禁止する制御を行う再生制御ステップとを含むことを特徴とする。
【００２３】
本発明の第１のプログラムは、記録媒体から、記録媒体に情報を記録したときの記録環境を識別する記録ＩＤを取得する取得ステップと、記録ＩＤが初期化記録ＩＤとして既に登録されているか否かを判断する第１の判断ステップと、第１の判断ステップの処理により初期化記録ＩＤがまだ登録されていないと判断された場合、取得ステップの処理により取得された記録ＩＤを、初期化記録ＩＤとして登録する登録ステップと、第１の判断ステップの処理により初期化記録ＩＤが既に登録されていると判断された場合、取得ステップの処理により取得された記録ＩＤが、初期化記録ＩＤと一致するか否かを判断する第２の判断ステップと、第２の判断ステップの処理により記録ＩＤが、初期化記録ＩＤと一致しないと判断された場合、記録媒体に記録されている情報の再生を禁止する制御を行う再生制御ステップとを含むことを特徴とする。
【００２４】
本発明の記録方法は、記録媒体に情報を記録するときの記録環境を識別する記録ＩＤを生成する生成ステップと、情報を暗号化鍵で暗号化する暗号化ステップと、暗号化ステップの処理により暗号化された情報を記録媒体に記録し、暗号化鍵とともに、生成ステップの処理により生成された記録ＩＤを記録する記録ステップとを含むことを特徴とする。
【００２５】
本発明の記録装置は、記録媒体に情報を記録するときの記録環境を識別する記録ＩＤを生成する生成手段と、情報を暗号化鍵で暗号化する暗号化手段と、暗号化手段により暗号化された情報を記録媒体に記録し、暗号化鍵とともに、生成手段により生成された記録ＩＤを記録する記録手段とを備えることを特徴とする。
【００２６】
本発明の第２のプログラム記録媒体は、記録媒体に情報を記録するときの記録環境を識別する記録ＩＤを生成する生成ステップと、情報を暗号化鍵で暗号化する暗号化ステップと、暗号化ステップの処理により暗号化された情報を記録媒体に記録し、暗号化鍵とともに、生成ステップの処理により生成された記録ＩＤを記録する記録ステップとを含むことを特徴とする。
【００２７】
本発明の第２のプログラムは、記録媒体に情報を記録するときの記録環境を識別する記録ＩＤを生成する生成ステップと、情報を暗号化鍵で暗号化する暗号化ステップと、暗号化ステップの処理により暗号化された情報を記録媒体に記録し、暗号化鍵とともに、生成ステップの処理により生成された記録ＩＤを記録する記録ステップとを含むことを特徴とする。
【００２８】
本発明の記録媒体は、情報とともに、記録媒体に情報を記録したときの記録環境を識別する記録ＩＤが記録されていることを特徴とする。
【００２９】
第１の本発明においては、記録媒体から、記録媒体に情報を記録したときの記録環境を識別する記録ＩＤが取得され、記録ＩＤが初期化記録ＩＤとして既に登録されているか否かが判断され、初期化記録ＩＤがまだ登録されていないと判断された場合、取得された記録ＩＤが、初期化記録ＩＤとして登録される。また、初期化記録ＩＤが既に登録されていると判断された場合、取得された記録ＩＤが、初期化記録ＩＤと一致するか否かが判断され、記録ＩＤが、初期化記録ＩＤと一致しないと判断された場合、記録媒体に記録されている情報の再生を禁止する制御が行われる。
【００３０】
第２の本発明においては、記録媒体に情報を記録するときの記録環境を識別する記録ＩＤが生成され、情報が暗号化鍵で暗号化される。そして、暗号化された情報が記録媒体に記録され、暗号化鍵とともに、生成された記録ＩＤが記録される。
【００３１】
第３の本発明においては、情報とともに、記録媒体に情報を記録したときの記録環境を識別する記録ＩＤが記録されている。
【００３２】
再生装置は、独立した装置であっても良いし、記録再生装置の再生処理を行うブロックであってもよい。
【００３３】
記録装置は、独立した装置であっても良いし、記憶再生装置の記録処理を行うブロックであってもよい。
【００３４】
【発明の実施の形態】
以下、図を参照して本発明の実施の形態について説明する。
【００３５】
図３は、本発明を適用した記録再生システムの構成例を表している。図３において、ユーザＡは、ＰＣ（Ｐｅｒｓｏｎａｌ  Ｃｏｍｐｕｔｅｒ）５１−１および再生装置５３−１を所有している。ユーザＡが所有するＰＣ５１−１は、図示せぬネットワークを介して、図示せぬコンテンツ配信サーバなどから取得した、リッピングやＥＭＤ（Ｅｌｅｃｔｒｏｎｉｃ  Ｍｕｓｉｃ  Ｄｉｓｔｒｉｂｕｔｉｏｎ）などの著作権保護コンテンツを平文で記憶している。図３の例において、コンテンツは、圧縮された音声データなどにより構成される。
【００３６】
ＰＣ５１−１は、記憶されているコンテンツを、コンテンツ鍵で暗号化し、暗号化したコンテンツを光ディスク５２−１に記録する。また、ＰＣ５１−１は、光ディスク５２−１にコンテンツを記録するときのＰＣ５１−１の記録環境（属性）を識別するためのＰＣ５１−１のプロダクトＩＤを生成する。ＰＣ５１−１は、コンテンツ鍵を再生装置５３−１と共通の暗号化鍵で暗号化し、暗号化されたコンテンツ鍵とともに、ＰＣ５１−１のプロダクトＩＤを光ディスク５２−１に記録する。なお、共通の暗号鍵は、出荷時などに、ＰＣ５１−１および再生装置５３−１に予め登録されている。
【００３７】
プロダクトＩＤは、例えば、コンテンツが音声データであるか、または映像データであるかなどコンテンツの内容を識別するためのＦｏｒｍａｔ  Ｖｅｒｓｉｏｎ、記憶部１０８やＣＰＵ１０１（後述する図４）などを利用してＰＣ５１−１の属性を識別するためのＦａｃｔｏｒｙ  ＩＤ、コーディックモードなどを利用してコンテンツの属性を識別するためのＣｏｎｔｅｎｔ  ＩＤ、または、各Ｅｔｈｅｒｎｅｔ（登録商標）カードを識別するためのＭＡＣ（Ｍｅｄｉａ  Ａｃｃｅｓｓ  Ｃｏｎｔｒｏｌ  ａｄｄｒｅｓｓ）などのうちの１つ、もしくは、それらの組み合わせで構成される。
【００３８】
光ディスク５２−１は、ＣＤ−Ｒ（Ｃｏｍｐａｃｔ  Ｄｉｓｋ  Ｒｅｃｏｒｄａｂｌｅ）、ＣＤ−ＲＷ（Ｃｏｍｐａｃｔ  Ｄｉｓｋ  ＲｅＷｒｉｔａｂｌｅ）、またはＤＶＤ（Ｄｉｇｉｔａｌ  Ｖｅｒｓａｔｉｌｅ  Ｄｉｓｋ）などの汎用の書き込み可能の記録媒体により構成される。光ディスク５２−１上にはＰＣ５１−１によりコンテンツ、コンテンツ鍵およびプロダクトＩＤ（Ｉｄｅｎｔｉｆｉｃａｔｉｏｎ）が記録されている。
【００３９】
ユーザＡは、ＰＣ５１−１によりコンテンツが記録された光ディスク５２−１を自分の再生装置５３−１で再生させる。再生装置５３−１は、例えば、携帯用オーディオ機器などのＣＥ（Ｃｏｎｓｕｍｅｒ  Ｅｌｅｃｔｒｏｎｉｃｓ）機器により構成される。再生装置５３−１は、ＰＣ５１−１により記録された光ディスク５２−１を装着すると、ＰＣ５１−１のプロダクトＩＤを読み出し、それを、初期化プロダクトＩＤとして、後述する図９のプロダクトＩＤ管理テーブル２１１に格納する。これにより、再生装置５３−１は、ＰＣ５１−１のプロダクトＩＤにより初期化される。なお、プロダクトＩＤ管理テーブル２１１は、一度初期化されると、消去や書き換えができない。再生装置５３−１は、光ディスク５２−１に記録されているコンテンツを読み出し、光ディスク５２−１に記録されているコンテンツ鍵を用いて復号し、復号されたコンテンツを再生する。
【００４０】
一方、ユーザＢは、ＰＣ５１−２および再生装置５３−２を所有している。ユーザＢの有するＰＣ５１−２は、ＰＣ５１−１と同様に、図示せぬネットワークを介して、図示せぬコンテンツ配信サイトなどから取得した著作権保護コンテンツを平文で記憶している。ＰＣ５１−２は、記憶されているコンテンツを、コンテンツ鍵で暗号化し、暗号化したコンテンツを光ディスク５２−２に記録する。また、ＰＣ５１−２は、光ディスク５２−２にＰＣ５１−２のプロダクトＩＤを生成する。ＰＣ５１−２は、コンテンツ鍵を再生装置５３−２と共通の暗号化鍵で暗号化し、暗号化されたコンテンツ鍵とともに、ＰＣ５１−２のプロダクトＩＤを光ディスク５２−２に記録する。
【００４１】
ユーザＢは、ＰＣ５１−２によりコンテンツが記録された光ディスク５２−２を自分の再生装置５３−２で再生させる。再生装置５３−２は、再生装置５３−１と同様に、ＰＣ５１−２により記録された光ディスク５２−２を装着すると、ＰＣ５１−２のプロダクトＩＤを読み出し、それを、初期化プロダクトＩＤとして、プロダクトＩＤ管理テーブル２１１に格納する。これにより、再生装置５３−２は、ＰＣ５１−２のプロダクトＩＤにより初期化される。再生装置５３−２は、光ディスク５２−２に記録されているコンテンツを読み出し、光ディスク５２−２に記録されているコンテンツ鍵を用いて復号し、復号されたコンテンツを再生する。
【００４２】
また、ＰＣ５１−１は、光ディスク５２−１を複製する機能を有しており、その機能を用いて、光ディスク５２−１を複製した光ディスク５４（以下、光ディスク５４は、光ディスク５２−１と区別するために、コピーディスク５４と称する）を生成する。光ディスク５２−１が複製されたコピーディスク５４には、光ディスク５２−１に記録されているすべてのデータ（コンテンツ、コンテンツ鍵およびプロダクトＩＤ）が記録される。したがって、コピーディスク５４は、光ディスク５２−１と同一であるＰＣ５１−１のプロダクトＩＤを有する。
【００４３】
再生装置５３−１は、複製されたコピーディスク５４を装着すると、プロダクトＩＤを読み出し、再生装置５３−１のプロダクトＩＤ管理テーブル２１１の初期化プロダクトＩＤと比較する。この場合、初期化プロダクトＩＤは、ＰＣ５１−１のプロダクトＩＤが格納されており、コピーディスク５４のプロダクトＩＤも、ＰＣ５１−１のプロダクトＩＤであるので、両者のプロダクトＩＤは一致する。これにより、再生装置５３−１において、コピーディスク５４に対しても、光ディスク５２−１と同様の再生権利が与えられるので、再生装置５３−１は、コピーディスク５４に記録されているコンテンツを読み出し、コピーディスク５４に記録されているコンテンツ鍵を用いて復号し、再生することができる。
【００４４】
同様にして、再生装置５３−２は、光ディスク５２−１が複製されたコピーディスク５４を装着すると、プロダクトＩＤを読み出し、再生装置５３−２のプロダクトＩＤ管理テーブル２１１の初期化プロダクトＩＤと比較する。この場合、初期化プロダクトＩＤは、ＰＣ５１−２のプロダクトＩＤが格納されており、コピーディスク５４のプロダクトＩＤは、ＰＣ５１−１のプロダクトＩＤであるので、両者のプロダクトＩＤは一致しない。したがって、再生装置５３−２において、コピーディスク５４に記録されているコンテンツの再生は、禁止または制限される。すなわち、再生装置５３−２は、コピーディスク５４に記録されているコンテンツは、再生を禁止したり、特定の帯域のみを再生したり、もしくは、特定の時間だけ再生する制限を実行する。なお、再生装置５３−２において、コピーディスク５４の代わりに光ディスク５２を装着しても、コピーディスク５４の場合と同様に、光ディスク５２のコンテンツの再生も制限される。
【００４５】
以上のようにして、最初に装着した光ディスクのプロダクトＩＤにより再生装置が初期化され、初期化以降に、他のプロダクトＩＤが記録された光ディスクが装着された場合、その光ディスクの再生が制限される。これにより、ディスクコピー可能な記録媒体に対して、再生権利の拡散を抑制することができる。
【００４６】
なお、以下、ＰＣ５１−１および５１−２、光ディスク５２−１および５２−２、並びに、再生装置５３−１および５３−２を個々に区別する必要がない場合、それぞれ、単にＰＣ５１、光ディスク５２並びに再生装置５３と称する。
【００４７】
図４は、ＰＣ５１の構成例を示している。ＰＣ５１は、ＣＰＵ（Ｃｅｎｔｒａｌ  Ｐｒｏｃｅｓｓｉｎｇ  Ｕｎｉｔ）１０１を内蔵している。ＣＰＵ１０１にはバス１０４を介して、入出力インタフェース１０５が接続されている。バス１０４には、ＲＯＭ（Ｒｅａｄ  Ｏｎｌｙ  Ｍｅｍｏｒｙ）１０２およびＲＡＭ（Ｒａｎｄｏｍ  Ａｃｃｅｓｓ  Ｍｅｍｏｒｙ）１０３が接続されている。
【００４８】
入出力インタフェース１０５には、キーボード、マウスなどよりなる入力部１０６、ＬＣＤ（Ｌｉｑｕｉｄ  Ｃｒｙｓｔａｌ  Ｄｉｓｐｌａｙ）などよりなるディスプレイ、並びにスピーカなどよりなる出力部１０７、ハードディスクなどよりなる記憶部１０８、モデム、ターミナルアダプタなどより構成される通信部１０９が接続されている。通信部１０９は、図示しないネットワークを介しての通信処理を行う。また、入出力インタフェース１０５には、磁気ディスク１１１、光ディスク１１２、光磁気ディスク１１３、および半導体メモリ１１４などの記録媒体に対してデータを読み書きするドライブ１１０が接続されている。
【００４９】
ＣＰＵ１０１は、磁気ディスク１１１乃至半導体メモリ１１４から読み出されて記憶部１０８に記憶され、記憶部１０８からＲＡＭ１０３にロードされたディスク記録プログラム１２１に従って、後述する各種の処理を実行する。
【００５０】
図５は、ＣＰＵ１０１により、磁気ディスク１１１乃至半導体メモリ１１４から読み出されて記憶部１０８に記憶され、記憶部１０８からＲＡＭ１０３にロードされたディスク記録プログラム１２１を実行した場合の機能ブロック図である。
【００５１】
ディスク記録制御部１３１は、入力部１０６を介して入力されるユーザの操作に基づいて、ドライブ１１０に装着された光ディスク５２に、記憶部１０８のコンテンツを記録するために、バス１３２を介して、ＰＣ５１の各部を制御する。バス１３２には、入力部１０６、ＩＤ生成部１３３、記憶部１０８、暗号化部１３４およびドライブ１１０が接続されている。
【００５２】
ＩＤ生成部１３３は、ディスク記録制御部１３１の制御に基づいて、ＰＣ５１、ディスク記録プログラム１２１および記録するコンテンツの属性などの記録するときのＰＣ５１の記録環境（属性）を識別するプロダクトＩＤを生成し、バス１３２を介して、ドライブ１１０に供給する。
【００５３】
暗号化部１３４は、ディスク記録制御部１３１の制御に基づいて、記憶部１０８からコンテンツを読み出し、コンテンツ鍵で暗号化する。暗号化部１３４は、コンテンツ鍵で暗号化されたコンテンツを、バス１３２を介してドライブ１１０に供給する。また、暗号化部１３４は、コンテンツ鍵を、再生装置５３との共通の暗号化鍵で暗号化し、暗号化鍵で暗号化されたコンテンツ鍵を、バス１３２を介してドライブ１１０に供給する。なお、暗号鍵は、ＰＣ５１の出荷時などに予め登録されている。
【００５４】
ドライブ１１０は、ディスク記録制御部１３１の制御に基づいて、暗号化部１３４により暗号化されたコンテンツを光ディスク５２に記録する。また、ドライブ１１０は、ディスク記録制御部１３１の制御に基づいて、暗号化部１３４により暗号化されたコンテンツ鍵とともに、ＩＤ生成部１３３により生成されたプロダクトＩＤを光ディスク５２に記憶する。
【００５５】
次に、図６および図７を参照して、ＰＣ５１の動作を詳しく説明する。いまの場合、リッピングやＥＭＤなどの著作権保護コンテンツ１５１およびそのライセンス鍵１５２は、通信部１０９により、図示せぬネットワークを介して、図示せぬコンテンツ配信サーバなどから取得される。そして、著作権保護コンテンツ１５１は、ライセンス鍵１５２により復号され、平文のコンテンツＡ３Ｄとして記憶部１０８に記録されている。ドライブ１１０には、光ディスク５２が装着されている。
【００５６】
ＣＰＵ１０１により、磁気ディスク１１１乃至半導体メモリ１１４から読み出されて記憶部１０８に記憶され、記憶部１０８からＲＡＭ１０３にロードされたディスク記録プログラム１２１が実行されると、図５のディスク記録制御部１３１は、入力部１０６より入力されるユーザの指示に基づいて、図６に示される光ディスク５２への記録処理、または、図７に示される光ディスク５２からコピーディスク５４へのバックアップ処理を実行する。
【００５７】
まず、図６を参照して、１次記録媒体である記憶部１０８に記録された著作権保護コンテンツを、２次記録媒体である光ディスク５２に記録する動作を説明する。
【００５８】
図６の例の場合、ユーザにより入力部１０６を介して、コンテンツＡ３Ｄの光ディスク５２へのコンテンツ記録処理が指示されると、ディスク記録制御部１３１は、暗号化部１３４を制御し、記憶部１０８に記憶されているコンテンツＡ３Ｄを、コンテンツ鍵Ｋｃで暗号化させる。暗号化部１３４は、暗号化コンテンツＥ（Ｋｃ，Ａ３Ｄ）を、バス１３２を介してドライブ１１０に供給する。なお、Ｅ（Ｋｃ，Ａ３Ｄ）は、Ａ３ＤをＫｃによって暗号化したデータであることを示す。ディスク記録制御部１３１は、暗号化部１３４を制御し、コンテンツを暗号化したコンテンツ鍵Ｋｃを、再生装置５３と共通の暗号化鍵Ｋｒｏｏｔで暗号化させる。暗号化部１３４は、暗号化コンテンツ鍵Ｅ（Ｋｒｏｏｔ，Ｋｃ）を、バス１３２を介してドライブ１１０に供給する。
【００５９】
また、ディスク記録制御部１３１は、ＩＤ生成部１３３を制御し、ＰＣ５１、ディスク記録プログラム１２１および記録するコンテンツＡ３Ｄの属性などの記録するときのＰＣ５１の記録環境（属性）を識別するプロダクトＩＤ１５３を生成させる。ＩＤ生成部１３３は、生成したプロダクトＩＤ１５３を、バス１３２を介してドライブ１１０に供給する。
【００６０】
ディスク記録制御部１３１は、ドライブ１１０を制御し、図８に示されるように、暗号化部１３４より供給された暗号化コンテンツＥ（Ｋｃ，Ａ３Ｄ）を光ディスク５２に記録させ、その後、暗号化部１３４より供給された暗号化コンテンツ鍵Ｅ（Ｋｒｏｏｔ，Ｋｃ）とともに、ＩＤ生成部１３３より供給されたプロダクトＩＤ１５３を光ディスク５２に記録させる。
【００６１】
図８は、光ディスク５２に記録されるデータのデータ構造を示している。図８の例の場合、光ディスク５２に記録されるデータは、暗号化コンテンツＥ（Ｋｃ，Ａ３Ｄ）、暗号化コンテンツ鍵Ｅ（Ｋｒｏｏｔ，Ｋｃ）およびプロダクトＩＤ１５３の順に構成されている。
【００６２】
次に、図７を参照して、２次記録媒体である光ディスク５２に記録された著作権保護コンテンツを、２次記録媒体であるコピーディスク５４に記録（複製）する動作を説明する。
【００６３】
図７の例の場合、ユーザにより入力部１０６を介して、光ディスク５２からコピーディスク５４へのバックアップ処理が指示された場合、ディスク記録制御部１３１は、ドライブ１１０を制御し、光ディスク５２に記録されているすべてのデータ（暗号化コンテンツＥ（Ｋｃ，Ａ３Ｄ）、暗号化コンテンツ鍵Ｅ（Ｋｒｏｏｔ，Ｋｃ）およびプロダクトＩＤ１５３）をＲＡＭ１０２に一旦記憶させる。
【００６４】
ドライブ１１０にコピーディスク５４が装着されると、ディスク記録制御部１３１は、ドライブ１１０を制御し、ＲＡＭ１０２に一旦記憶されているすべてのデータ（暗号化コンテンツＥ（Ｋｃ，Ａ３Ｄ）、暗号化コンテンツ鍵Ｅ（Ｋｒｏｏｔ，Ｋｃ）およびプロダクトＩＤ１５３）を、コピーディスク５４に記録させる。
【００６５】
以上のようにして、光ディスク５２が複製されたコピーディスク５４には、光ディスク５２のデータがすべて複製される。したがって、コピーディスク５４は、光ディスク５２と同一であるＰＣ５１のプロダクトＩＤ１５３を有することになる。
【００６６】
図９は、再生装置５３の構成例を示している。図９の例においては、マイコン（マイクロコンピュータ）２０１は、バス２０２を介して接続される再生装置５３の各部を制御する。バス２０２には、読み出し部２０３、メモリ２０４および復号部２０５が接続されている。
【００６７】
読み出し部２０３は、装着された光ディスク５２から、（ＰＣ５１の）プロダクトＩＤ１５３を読み出し、読み出したプロダクトＩＤ１５３を、バス２０２を介してマイコン２０１に供給する。また、読み出し部２０３は、マイコン２０１の制御に基づいて、光ディスク５２から、暗号化コンテンツ鍵Ｅ（Ｋｒｏｏｔ，Ｋｃ）または暗号化コンテンツＥ（Ｋｃ，Ａ３Ｄ）を読み出し、バス２０２を介して、マイコン２０１に供給する。
【００６８】
メモリ２０４は、フラッシュメモリなどにより構成され、特定番地に、ドライブ１１０により最初に読み出されたプロダクトＩＤを初期化プロダクトＩＤとして管理するためのプロダクトＩＤ管理テーブル２１１を有する。初期化プロダクトＩＤは、一旦登録されると、消去も書き換えも不可能である。
【００６９】
マイコン２０１は、読み出し部２０３より、光ディスク５２のプロダクトＩＤ１５３が供給されると、メモリ２０４のプロダクトＩＤ管理テーブル２１１に、既に他のプロダクトＩＤが、初期化プロダクトＩＤとして登録されているか否かを判断する。プロダクトＩＤ管理テーブル２１１に、まだ初期化プロダクトＩＤが登録されていないと判断された場合、マイコン２０１は、光ディスク５２のプロダクトＩＤ１５３を、初期化プロダクトＩＤとして、プロダクトＩＤ管理テーブル２１１に登録する。すなわち、ＰＣ５１のプロダクトＩＤ１５３が初期化プロダクトＩＤとして登録される。また、マイコン２０１は、読み出し部２０３より供給された暗号化コンテンツ鍵Ｅ（Ｋｒｏｏｔ，Ｋｃ）、または、暗号化コンテンツＥ（Ｋｃ，Ａ３Ｄ）を復号部２０５の入力レジスタ２１２に格納する。
【００７０】
復号部２０５は、入力レジスタ２１２を有している。復号部２０５は、入力レジスタ２１２の特定領域に、暗号化コンテンツ鍵Ｅ（Ｋｒｏｏｔ，Ｋｃ）を暗号化した、ＰＣ５１と共通の暗号化鍵Ｋｒｏｏｔを保護している。この暗号化鍵Ｋｒｏｏｔは、再生装置５３の出荷時などに予め登録されているものである。したがって、復号部２０５は、暗号化鍵Ｋｒｏｏｔを用いて、入力レジスタ２１２に格納された暗号化コンテンツ鍵Ｅ（Ｋｒｏｏｔ，Ｋｃ）を、Ｄ（Ｋｒｏｏｔ，Ｅ（Ｋｒｏｏｔ，Ｋｃ））なる演算により復号する。なお、Ｄ（Ｋｒｏｏｔ，Ｅ（Ｋｒｏｏｔ，Ｋｃ））は、Ｅ（Ｋｒｏｏｔ，Ｋｃ）をＫｒｏｏｔによって復号したデータであることを示す。
【００７１】
さらに、復号部２０５は、復号されたコンテンツ鍵Ｋｃを用いて、入力レジスタ２１２に格納された暗号化コンテンツＥ（Ｋｃ，Ａ３Ｃ）を、Ｄ（Ｋｃ，Ｅ（Ｋｃ，Ａ３Ｃ））なる演算により復号し、復号したコンテンツＡ３ＣをＤ／Ａ（Ｄｉｇｉｔａｌ  ／  Ａｎａｌｏｇ）変換部２０６に出力する。
【００７２】
Ｄ／Ａ変換部２０６は、復号部２０５から供給されたコンテンツＡ３Ｃをデジタルデータからアナログデータに変換し、マイクロフォンなどにより構成される出力部２０７を介して出力する。以上のようにして、光ディスク５２の著作権保護コンテンツ（暗号化コンテンツＥ（Ｋｃ，Ａ３Ｃ））が再生される。
【００７３】
一方、すでに、プロダクトＩＤ管理テーブル２１１に、初期化プロダクトＩＤが登録されていると判断された場合、マイコン２０１は、プロダクト管理テーブル２１１に登録されている初期化プロダクトＩＤと、光ディスク５２のプロダクトＩＤ１５３が一致するか否かを判断する。プロダクト管理テーブル２１１に登録されている初期化プロダクトＩＤと、光ディスク５２のプロダクトＩＤ１５３が一致すると判断された場合、マイコン２０１は、再生装置５３の各部を制御し、上述したように光ディスク５２の著作権保護コンテンツを再生させる。
【００７４】
プロダクト管理テーブル２１１に登録されている初期化プロダクトＩＤと、光ディスク５２のプロダクトＩＤ１５３が一致しないと判断された場合、マイコン２０１は、再生装置５３の各部を制御し、光ディスク５２の著作権保護コンテンツの再生を制限、または禁止させる。すなわち、再生装置５３がすでに他のＰＣのプロダクトＩＤにより初期化されていることになるので、再生装置５３においては、ＰＣ５１のプロダクトＩＤ１５３を有する光ディスク５２の再生が制限されたり、または、禁止される。
【００７５】
以上のようにして、再生装置５３において、初期化プロダクトＩＤ以外のプロダクトＩＤを有する光ディスクの再生が制限される。したがって、ディスクコピー可能な記録媒体（光ディスク）に対して、再生権利の拡散を抑制することができる。
【００７６】
次に、図１０のフローチャートを参照して、ＰＣ５１の光ディスク５２へのコンテンツ記録処理を説明する。ＣＰＵ１０１により、磁気ディスク１１１乃至半導体メモリ１１４から読み出されて記憶部１０８に記憶され、記憶部１０８からＲＡＭ１０３にロードされたディスク記録プログラム１２１が実行される。
【００７７】
いまの場合、リッピングやＥＭＤなどの著作権保護コンテンツ１５１およびそのライセンス鍵１５２は、通信部１０９により、図示せぬネットワークを介して、図示せぬコンテンツ配信サーバなどから取得される。そして、著作権保護コンテンツ１５１は、ライセンス鍵１５２により復号され、平文のコンテンツＡ３Ｄとして記憶部１０８に記録されている。また、ドライブ１１０には、光ディスク５２が装着されているとする。
【００７８】
ディスク記録制御部１３１は、ステップＳ１において、ユーザから、入力部１０６を介して、光ディスク５２へのコンテンツの記録が指示されるまで待機している。ユーザにより入力部１０６を介して、コンテンツＡ３Ｄのディスク記録処理が指示されると、ディスク記録制御部１３１は、ステップＳ２に進み、ＩＤ生成部１３３を制御し、ＰＣ５１、ディスク記録プログラム１２１および記録するコンテンツの属性などの記録するときのＰＣ５１の記録環境（属性）を識別するプロダクトＩＤ１５３を生成させる。ＩＤ生成部１３３は、生成したプロダクトＩＤ１５３を、バス１３２を介してドライブ１１０に供給し、ステップＳ３に進む。
【００７９】
ディスク記録制御部１３１は、ステップＳ３において、暗号化部１３４を制御し、記憶部１０８に記憶されているコンテンツＡ３Ｄを、コンテンツ鍵Ｋｃで暗号化させる。暗号化部１３４は、コンテンツ鍵Ｋｃで暗号化した暗号化コンテンツＥ（Ｋｃ，Ａ３Ｄ）を、バス１３２を介してドライブ１１０に供給する。ドライブ１１０は、供給された暗号化コンテンツＥ（Ｋｃ，Ａ３Ｄ）を光ディスク５２に記録し、ステップＳ４に進む。
【００８０】
ディスク記録制御部１３１は、ステップＳ４において、暗号化部１３４を制御し、コンテンツを暗号化したコンテンツ鍵Ｋｃを、再生装置５３と共通の暗号化鍵Ｋｒｏｏｔで暗号化させる。暗号化部１３４は、暗号化コンテンツ鍵Ｅ（Ｋｒｏｏｔ，Ｋｃ）を、バス１３２を介してドライブ１１０に供給し、ステップＳ５に進む。
【００８１】
ディスク記録制御部１３１は、ステップＳ５において、ドライブ１１０を制御し、ステップＳ３において記録された暗号化コンテンツＥ（Ｋｃ，Ａ３Ｄ）の後に、暗号化部１３４により供給された暗号化コンテンツ鍵Ｅ（Ｋｒｏｏｔ，Ｋｃ）とともに、ＩＤ生成部１３３により供給されたプロダクトＩＤ１５３を光ディスク５２に記録させる。
【００８２】
以上のようにして、暗号化コンテンツとともに、ＰＣ５１、ディスク記録プログラム１２１および記録するコンテンツの属性などの記録するときのＰＣ５１の記録環境（属性）を識別するプロダクトＩＤ１５３がディスク５２に記録される。
【００８３】
次に、図１１のフローチャートを参照して、再生装置５３の光ディスクの再生処理について説明する。
【００８４】
ステップＳ２１において、読み出し部２０３は、光ディスク５２が装着されるまで待機しており、光ディスク５２が装着されたと判断した場合、ステップＳ２２に進む。ステップＳ２２において、読み出し部２０３は、光ディスク５２から、ＰＣ５１のプロダクトＩＤ１５３を読み出す。読み出し部２０３は、読み出したプロダクトＩＤ１５３を、バス２０２を介してマイコン２０１に供給し、ステップＳ２３に進む。
【００８５】
ステップＳ２３において、マイコン２０１は、メモリ２０４のプロダクトＩＤ管理テーブル２１１に、既に他のプロダクトＩＤが初期化プロダクトＩＤとして登録されているか否かを判断する。すなわち、再生装置５３のプロダクトＩＤ管理テーブル２１１が初期化されているか否かを判断する。ステップＳ２３において、プロダクトＩＤ管理テーブル２１１に、まだ初期化プロダクトＩＤが登録されていないと判断された場合、マイコン２０１は、ステップＳ２４に進み、ステップＳ２２において読み出し部２０３から供給された光ディスク５２のプロダクトＩＤ１５３を、初期化プロダクトＩＤとして、メモリ２０４のプロダクトＩＤ管理テーブル２１１に登録し、ステップＳ２６に進む。すなわち、光ディスク５２のプロダクトＩＤ１５３により、再生装置５３のプロダクトＩＤ管理テーブル２１１が初期化される。
【００８６】
一方、ステップＳ２３において、プロダクトＩＤ管理テーブル２１１に、既に初期化プロダクトＩＤが登録されていると判断された場合、マイコン２０１は、ステップＳ２５に進み、メモリ２０４のプロダクト管理テーブル２１１に登録されている初期化プロダクトＩＤと、ステップＳ２２において読み出し部２０３より供給された光ディスク５２のプロダクトＩＤ１５３が一致するか否かを判断する。
【００８７】
ステップＳ２５において、プロダクト管理テーブル２１１に登録されている初期化プロダクトＩＤと、光ディスク５２のプロダクトＩＤ１５３が一致しないと判断された場合、再生装置５３がすでに他のＰＣのプロダクトＩＤにより初期化されていることになるので、マイコン２０１は、光ディスク５２の再生を禁止する制御を行い、ステップＳ２６乃至Ｓ２９の処理をスキップし、再生装置５３の光ディスク再生処理を終了させる。なお、いまの場合、マイコン２０１は、ＰＣ５１のプロダクトＩＤ１５３を有する光ディスク５２の再生を禁止する制御を実行したが、光ディスク５２の特定の帯域のみを再生させたり、特定の時間だけを再生させるというように、光ディスク５２の再生を制限する制御を実行してもよい。
【００８８】
ステップＳ２５において、プロダクト管理テーブル２１１に登録されている初期化プロダクトＩＤと、光ディスク５２のプロダクトＩＤ１５３が一致すると判断された場合、処理は、ステップＳ２６に進む。
【００８９】
ステップＳ２６において、マイコン２０１は、読み出し部２０３を制御し、光ディスク５２から、暗号化コンテンツ鍵Ｅ（Ｋｒｏｏｔ，Ｋｃ）を読み出させる。読み出し部２０３は、読み出した暗号化コンテンツＥ（Ｋｃ，Ａ３Ｄ）を、バス２０２を介して、マイコン２０１に供給する。マイコン２０１は、読み出し部２０３より供給された暗号化コンテンツ鍵Ｅ（Ｋｒｏｏｔ，Ｋｃ）を復号部２０５の入力レジスタ２１２に格納し、復号部２０５を制御し、暗号化鍵Ｋｒｏｏｔを用いて、入力レジスタ２１２の暗号化コンテンツ鍵Ｅ（Ｋｒｏｏｔ，Ｋｃ）を、Ｄ（Ｋｒｏｏｔ，Ｅ（Ｋｒｏｏｔ，Ｋｃ））なる演算により復号させ、ステップＳ２７に進む。
【００９０】
ステップＳ２７において、マイコン２０１は、読み出し部２０３を制御し、光ディスク５２から、暗号化コンテンツ（Ｋｃ，Ａ３Ｄ）を読み出させる。読み出し部２０３は、読み出した暗号化コンテンツ（Ｋｃ，Ａ３Ｄ）を、バス２０２を介して、マイコン２０１に供給する。マイコン２０１は、読み出し部２０３より供給された暗号化コンテンツ（Ｋｃ，Ａ３Ｄ）を、復号部２０５の入力レジスタ２１２に格納し、ステップＳ２８に進む。ステップＳ２８において、復号部２０５は、ステップＳ２６において復号されたコンテンツ鍵Ｋｃを用いて、マイコン２０１から入力レジスタ２１２に格納された暗号化コンテンツＥ（Ｋｃ，Ａ３Ｃ）を、Ｄ（Ｋｃ，Ｅ（Ｋｃ，Ａ３Ｃ））なる演算により復号し、復号したコンテンツＡ３Ｃを、Ｄ／Ａ（Ｄｉｇｉｔａｌ  ／  Ａｎａｌｏｇ）変換部２０６に出力し、ステップＳ２９に進む。
【００９１】
ステップＳ２９において、Ｄ／Ａ変換部２０６は、復号部２０５から供給されたコンテンツＡ３Ｃをデジタルデータからアナログデータに変換し、コンテンツを、マイクロフォンなどにより構成される出力部２０７を介して再生する。
【００９２】
以上のようにして、再生装置５３において、初期プロダクトＩＤと一致するプロダクトＩＤを有する光ディスクが再生され、初期化プロダクトＩＤ以外のプロダクトＩＤの光ディスクの再生が制限される。したがって、ディスクコピー可能な記録媒体（光ディスク）に対して、再生権利の拡散を抑制することができる。
【００９３】
なお、上記説明においては、光ディスク５２を用いて説明し、ステップＳ２４において、光ディスク５２のプロダクトＩＤを初期化プロダクトＩＤとして登録する場合を説明したが、初期化プロダクトＩＤが、プロダクトＩＤ管理テーブルにまだ登録されていない場合に、オリジナルである光ディスク５２の前に、コピーディスク５４が装着されても同様の処理が実行される。すなわち、再生装置５３のプロダクトＩＤ管理テーブルは、最初に装着され、プロダクトＩＤが読み出された光ディスクのプロダクトＩＤ（すなわち、光ディスクにコンテンツを記録したＰＣのプロダクトＩＤ）に初期化される。
【００９４】
図１２は、記録再生システムの他の構成例を示している。なお、図１２において、図３における場合と対応する部分には対応する符号を付してあり、その説明は繰り返しになるので省略する。
【００９５】
図１２の例の場合、ユーザＡは、再生装置５３−１に、例えば、自分の所有するＰＣ５１−１のプロダクトＩＤが記録された光ディスク５２−１よりも前に、ユーザＢの所有するＰＣ５１−２のプロダクトＩＤが記録された光ディスク５２−２を装着する。これにより、ユーザＡの再生装置５３−１のプロダクト管理テーブル２１１には、ユーザＢのＰＣ５１−２のプロダクトＩＤが、初期化プロダクトＩＤとして登録される。ＰＣ５１−２のプロダクトＩＤにより初期化されてしまうと、ユーザＡの再生装置５３−１は、ユーザＢのＰＣ５１−２により記録された光ディスク５２−２を再生することはできるが、自分のＰＣ５１−１により記録された光ディスク５２−１、および、ＰＣ５１−１により生成されたコピーディスク５４を再生しようとしても、初期化プロダクトＩＤが異なるため、光ディスク５２−１およびコピーディスク５４のコンテンツが再生できなかったり、または、そのコンテンツの再生に制限が施されてしまう。
【００９６】
以上のように、ユーザＡは、自分が所有するにも拘わらず、再生装置５３−１で、自分の所有するＰＣ５１−１により記録された光ディスク５２−１およびコピーディスク５４を再生することができない。このような場合の対策を、図１３を参照して説明する。
【００９７】
図１３は、記録再生システムの他の構成例を示している。なお、図１３において、図３における場合と対応する部分には対応する符号を付してあり、その説明は繰り返しになるので省略する。図１３においては、再生装置５３−１は、著作権者側の取り決めにより、複数の初期化プロダクトＩＤを有するライセンスを取得し、図１４に示されるようなプロダクトＩＤ管理テーブル２３１をメモリ２０４に有する。
【００９８】
図１４は、メモリ２０４のプロダクトＩＤ管理テーブル２３１の構成例を示している。図１４の例の場合、プロダクトＩＤ管理テーブル２３１は、初期化プロダクトＩＤ２４１乃至２４３に示されるように、３つの初期化プロダクトＩＤを格納することができる。これにより、再生装置５３−１においては、３つのプロダクトＩＤを初期化プロダクトＩＤとして登録することができるので、プロダクトＩＤの異なる３つのＰＣにより記録された光ディスク５２を再生することができる。
【００９９】
したがって、図１３の例においては、図１２の例の場合と同様に、ユーザＡが、再生装置５３−１に、自分のＰＣ５１−１のプロダクトＩＤが記録された光ディスク５２−１よりも前に、ユーザＢのＰＣ５１−２のプロダクトＩＤが記録された光ディスク５２−２を装着してしまい、ＰＣ５１−２のプロダクトＩＤが、再生装置５３−１のプロダクト管理テーブル２３１に、初期化プロダクトＩＤ２４１として登録されてしまったとしても、プロダクト管理テーブル２３１は、それ以外にまだ、２つのプロダクトＩＤを、初期化プロダクトＩＤ２４２および２４３として登録することができる。
【０１００】
すなわち、ユーザＡの再生装置５３−１のプロダクトＩＤ管理テーブル２３１が、ユーザＢのＰＣ５１−２のプロダクトＩＤにより初期化されてしまっている場合であっても、ユーザＡの再生装置５３−１に、ユーザＡのＰＣ５１−１で記録された光ディスク５２−１、または、ユーザＡのＰＣ５１−１で生成されたコピーディスク５４を装着すると、プロダクト管理テーブル２３１には、ＰＣ５１−１のプロダクトＩＤが、初期化プロダクトＩＤ２４２として登録される。したがって、ユーザＡの再生装置５３−１においては、自分のＰＣ５１−１で記録された光ディスク５２−１およびコピーディスク５４、並びにユーザＢのＰＣ５１−２で記録された光ディスク５２−２が制限されることなく、再生することができる。
【０１０１】
以上のように、ユーザの友人のＰＣにより記録された光ディスクを再生したい場合、またはユーザが複数のＰＣを所有する場合などに、プロダクト管理テーブル２３１のように、登録される初期化プロダクトＩＤを増やすライセンスなどを取得することにより、ユーザの使い勝手を改善することもできる。
【０１０２】
なお、上記説明においては、光ディスクに記録するコンテンツを音声データとしたが、映像データとしてもよいし、さらに、コンテンツに限らず、ソフトウェアなどを光ディスクに記録するようにしてもよい。また、光ディスクをＰＣにより記録したが、光ディスクを記録する記録装置、または記録再生装置としてもよい。
【０１０３】
さらに、以上においては、記録媒体を、光ディスクとして説明したが、記録媒体は、光ディスクだけでなく、光ディスク以外のメモリーカード（登録商標）、その他の記録媒体とすることもできる。
【０１０４】
上述した一連の処理は、ハードウェアにより実行させることもできるし、ソフトウェアにより実行させることもできる。この場合、例えば、図９の再生装置５３は、図１５に示されるような再生装置３０１により構成される。
【０１０５】
図１５において、ＣＰＵ（Ｃｅｎｔｒａｌ  Ｐｒｏｃｅｓｓｉｎｇ  Ｕｎｉｔ）３１１は、ＲＯＭ（Ｒｅａｄ  Ｏｎｌｙ  Ｍｅｍｏｒｙ）  ３１２に記憶されているプログラム、または、記憶部３１８からＲＡＭ（Ｒａｎｄｏｍ  Ａｃｃｅｓｓ  Ｍｅｍｏｒｙ）３１３にロードされたプログラムに従って各種の処理を実行する。ＲＡＭ３１３にはまた、ＣＰＵ３１１が各種の処理を実行する上において必要なデータなどが適宜記憶される。
【０１０６】
ＣＰＵ３１１、ＲＯＭ３１２、およびＲＡＭ３１３は、バス３１４を介して相互に接続されている。このバス３１４にはまた、入出力インタフェース３１５も接続されている。
【０１０７】
入出力インタフェース３１５には、キーボード、マウスなどよりなる入力部３１６、ＣＲＴ（Ｃａｔｈｏｄｅ  Ｒａｙ  Ｔｕｂｅ），ＬＣＤ（Ｌｉｑｕｉｄ  Ｃｒｙｓｔａｌ  Ｄｉｓｐｌａｙ）などよりなるディスプレイ、並びにスピーカなどよりなる出力部３１７、記憶部３１８、モデム、ターミナルアダプタなどより構成される通信部３１９が接続されている。通信部３１９は、図示しないネットワークを介しての通信処理を行う。
【０１０８】
入出力インタフェース３１５にはまた、必要に応じてドライブ３２０が接続され、磁気ディスク３２１、光ディスク３２２、光磁気ディスク３２３、或いは半導体メモリ３２４などが適宜装着され、それから読み出されたコンピュータプログラムが、必要に応じて記憶部３１８にインストールされる。
【０１０９】
一連の処理をソフトウェアにより実行させる場合には、そのソフトウェアを構成するプログラムが、専用のハードウェアに組み込まれているコンピュータ、または、各種のプログラムをインストールすることで、各種の機能を実行することが可能な、例えば、汎用のパーソナルコンピュータなどに、ネットワークや記録媒体からインストールされる。
【０１１０】
この記録媒体は、図４および図１５に示すように、装置本体とは別に、ユーザにプログラムを提供するために配布される、プログラムが記録されている磁気ディスク１１１，３２１（フレキシブルディスクを含む）、光ディスク１１２，３２２（ＣＤ−ＲＯＭ（Ｃｏｍｐａｃｔ  Ｄｉｓｋ−Ｒｅａｄ  Ｏｎｌｙ  Ｍｅｍｏｒｙ），ＤＶＤ（Ｄｉｇｉｔａｌ  Ｖｅｒｓａｔｉｌｅ  Ｄｉｓｋ）を含む）、光磁気ディスク１１３，３２３（ＭＤ（Ｍｉｎｉ−Ｄｉｓｋ）（商標）を含む）、もしくは半導体メモリ１１４，３２４などよりなるパッケージメディアにより構成されるだけでなく、装置本体に予め組み込まれた状態でユーザに提供される、プログラムが記録されているＲＯＭ１０２，３１２や、記憶部１０８，３１８などで構成される。
【０１１１】
なお、本明細書において、記録媒体に記録されるプログラムを記述するステップは、記載された順序に従って時系列的に行われる処理はもちろん、必ずしも時系列的に処理されなくとも、並列的あるいは個別に実行される処理をも含むものである。
【０１１２】
なお、本明細書において、システムとは、複数の装置により構成される装置全体を表すものである。
【０１１３】
【発明の効果】
以上の如く、本発明によれば、ディスクコピー可能な記録媒体に対して、再生制限をすることができる。
【図面の簡単な説明】
【図１】レーベルゲートＣＤによるコンテンツの著作権保護方法を説明する図である。
【図２】従来の２次記録媒体に対するコンテンツの著作権保護方法について説明する図である。
【図３】本発明を適用した記録再生システムの構成例を示す図である。
【図４】図３のＰＣの構成例を示すブロック図である。
【図５】図４のディスク記録プログラムを実行した場合のＰＣの構成例を示す機能ブロック図である。
【図６】図３のＰＣの動作の例を説明する図である。
【図７】図３のＰＣの動作の他の例を説明する図である。
【図８】図３のＰＣにより記録される光ディスクのデータの構成例を示す図である。
【図９】図３の再生装置の構成例を示すブロック図である。
【図１０】図３のＰＣの光ディスクへの記録処理を説明するフローチャートである。
【図１１】図３の再生装置の光ディスクの再生処理を説明するフローチャートである。
【図１２】図３の記録再生システムの他の構成例を示す図である。
【図１３】図３の記録再生システムのさらに他の構成例を示す図である。
【図１４】図９のプロダクトＩＤ管理テーブルの他の構成例を示す図である。
【図１５】本発明を適用した記録再生システムの他の構成例を示す図である。
【符号の説明】
５１−１，５１−２  ＰＣ，５２−１，５２−２  光ディスク，５３−１，５３−２  再生装置，５４  コピーディスク，１０１  ＣＰＵ，１０３  ＲＡＭ，１０８  記憶部，１１０  ドライブ，１３１  ディスク記録制御部，１３２  バス，１３３  ＩＤ生成部，１３４  暗号化部，１５３  プロダクトＩＤ，２０１  マイコン，２０２  バス，２０３  読み出し部，２０４  メモリ，２０５  復号部，２１１  プロダクトＩＤ管理テーブル，２１２  入力レジスタ，２３１  プロダクトＩＤ管理テーブル
【図１】
2004272341.tif 000003
【図２】
2004272341.tif 000004
【図３】
2004272341.tif 000005
【図４】
2004272341.tif 000006
【図５】
2004272341.tif 000007
【図６】
2004272341.tif 000008
【図７】
2004272341.tif 000009
【図８】
2004272341.tif 000010
【図９】
2004272341.tif 000011
【図１０】
2004272341.tif 000012
【図１１】
2004272341.tif 000013
【図１２】
2004272341.tif 000014
【図１３】
2004272341.tif 000015
【図１４】
2004272341.tif 000016
【図１５】
2004272341.tif 000017